(57)【要約】【課題】複数の記録層を有する光記録媒体で、一方の記録層を記録・再生する際に、焦点の合っていない記録層からの反射光がデフォーカス光として入射し、ＤＰＰ信号にオフセットが発生しをトラッキング制御が不安定になってしまう。【解決手段】記録再生層以外のデフォーカス光をキャンセルするための補助受光部９ｄを第１の受光部９ａと第２の受光部９ｂの間に配置することで、光ビームが記録・再生層以外の層の情報が記録されている記録部と情報が記録されていない未記録部の境界を通過する際も、サブプッシュプル信号にオフセット変化が発生しないため、トラッキング誤差信号であるＤＰＰ信号もオフセットせず、安定したトラッキング制御が可能となる。【選択図】図３
2008027559.tif 000002
【特許請求の範囲】
【請求項１】
複数の記録層を有する光記録媒体に光ビームを照射する光源と、
前記光源からの光をメインビームと少なくとも１つのサブビームとに分割する回折素子と、
前記光記録媒体に前記光源からの光を集光する集光手段と、
前記光記録媒体からの反射光を受光する光検出手段とを備えた光ピックアップ装置において、
前記光検出手段は、メインビームの反射光を検出する第１の受光部とサブビームの反射光を検出する第２の受光部とを有し、第１の受光部と第２の受光部との間には、補助受光部が配置されていることを特徴とする光ピックアップ装置。
【請求項２】
前記補助受光部は、記録層以外の層からの反射光を受光するようになっていることを特徴とする請求項１に記載の光ピックアップ装置。
【請求項３】
前記第１の受光部、第２の受光部、及び補助受光部は、前記メインビームの光軸と交差し、かつ光記録媒体のタンジェンシャル方向に平行な分割線により分割されていることを特徴とする請求項１または２に記載の光ピックアップ装置。
【請求項４】
前記第２の受光部と前記補助受光部とにおける前記分割線がそれぞれ、同一線上になるように配置されていることを特徴とする請求項１〜３の何れか１項に記載の光ピックアップ装置。
【請求項５】
第２の受光部及び補助受光部はそれぞれ、前記分割線により分割された２つの受光素子からなり、
第２の受光部及び補助受光部における４つの受光素子のうち、対角に配置された前記受光素子同士が結線されていることを特徴とする請求項３または４に記載の光ピックアップ装置。
（
【請求項６】
第２の受光部及び補助受光部はそれぞれ、前記分割線により分割された２つの受光素子からなり、
第２の受光部及び補助受光部における４つの受光素子それぞれから、独立して信号が出力されるようになっていることを特徴とする請求項３または４に記載の光ピックアップ装置。
【請求項７】
前記光検出手段は、プッシュプル信号演算部を備え、
前記プッシュプル信号演算部は、第２の受光部及び補助受光部における上記４つの受光素子のうち、対角に配置された受光素子から出力される信号同士の和信号を演算するとともに、各和信号を差動することでサブビームからのプッシュプル信号を演算するようになっていることを特徴とする請求項６に記載の光ピックアップ装置。
【請求項８】
前記プッシュプル信号演算部は、記録再生層以外の層からの反射光の影響をキャンセルするように、前記補助受光部から出力される信号を増幅する増幅器を備えたことを特徴とする請求項７に記載の光ピックアップ装置。
【請求項９】
トラッキングサーボとして、ＤＰＰ法を用いていることを特徴とする請求項１〜８の何れか１項に記載の光ピックアップ装置。
【発明の詳細な説明】
【技術分野】
【０００１】
本発明は、光ディスク等の光記録媒体に情報を記録または再生する際に用いられる光ピックアップに関するものである。
【背景技術】
【０００２】
近年、光記録媒体は、多量の情報信号を高密度で記録することができるため、オーディオ、ビデオ、コンピュータ等の多くの分野において利用が進められている。特に、最近は、動画情報などのように、コンピュータ等で取り扱うデータ量が飛躍的に増大しており、それに伴って、記録層を積層化した光記録媒体の利用が進んでいる。
【０００３】
上記光記録媒体においては、ミクロン単位で記録された情報信号を再生するために、再生されるべき情報が記録されているトラックに対して光ビームを正確にトラッキングさせる必要がある。トラッキング誤差信号（ＴＥＳ）の検出方法としては、一般にプッシュプル法が用いられている。
【０００４】
図８は、光記録媒体上に照射されている０次回折光および±１次回折光の状態を示す図である。図８（ａ）は、光記録媒体１０に形成されるトラック上に照射される０次回折光、＋および−（±）１次回折光の配置を示し、図８（ｂ）は、図８（ａ）に示される光記録媒体１０のＸ−Ｘ’線断面図である。
【０００５】
０次回折光を構成するメインビーム（以後、ＭＢと略記する）は、情報が記録されるべきトラック、または再生されるべき情報が記録されているトラックのグルーブ部２２（以後、グルーブ部２２を情報トラックと呼ぶことがある）の幅方向中央に照射されるようにトラッキング制御される。このとき、＋１次回折光である第１サブビーム（以後、ＳＢ１と略記する）および−１次回折光である第２サブビーム（以後、ＳＢ２と略記する）は、ＭＢが照射される情報トラック２２に対して両側にそれぞれ隣接するランド部２３・２４上に照射される。すなわち、ＳＢ１及びＳＢ２は、ＭＢが照射される情報トラック２２に対し２分の１トラックピッチだけずれた位置に照射される。プッシュプル法は、グルーブ形状によって回折されたＭＢとＳＢ１・２との干渉強度分布を検出することで、トラッキング誤差信号を生成する方法である。
【０００６】
プッシュプル法においてレンズシフトなどの影響を軽減する方法としては、ディファレンシャル・プッシュプル（ＤＰＰ）法がある。図９は、ＤＰＰ法に用いられる８分割光検出器と信号演算回路の例を示す図である。
【０００７】
光記録媒体に照射されたＭＢ、ＳＢ１およびＳＢ２は、光記録媒体にて反射されて、光検出器２５に導かれる。ＭＢ（２６）は受光素子２５ａに、ＳＢ１（２７）は受光素子２５ｂに、ＳＢ２（２８）は受光素子２５ｃにそれぞれ受光される。光検出器２５は、４分割されたセンサー素子（２５ａ１、２５ａ２、２５ａ３、２５ａ４）からなる受光素子２５ａと、２分割されたセンサー素子（２５ｂ１、２５ｂ２）からなる受光素子２５ｂと、２分割されたセンサー素子（２５ｃ１、２５ｃ２）からなる受光素子２５ｃから構成される。
【０００８】
受光素子２５ａによって検出されるＭＢの受光信号を減算器２９で演算することによって、ＭＢのプッシュプル信号ＭＰＰ（Ｍａｉｎ  Ｐｕｓｈ  Ｐｕｌｌ）が得られる。受光素子２５ｂによって検出されるＳＢ１の受光信号を減算器３０で演算することによりＳＢ１のプッシュプル信号ＳＰＰ１（Ｓｕｂ  Ｐｕｓｈ  Ｐｕｌｌ−１）が得られ、受光素子２５ｃによって検出されるＳＢ２の受光信号を減算器３１で演算することによってＳＢ２のプッシュプル信号ＳＰＰ２（Ｓｕｂ  Ｐｕｓｈ  Ｐｕｌｌ−２）が得られる。
【０００９】
また、ＳＰＰ１およびＳＰＰ２を加算器３２により演算することにより、加算信号ＳＰＰ（＝ＳＰＰ１＋ＳＰＰ２）が得られる。さらに、前述のＭＰＰから、増幅器３３によってＳＰＰを増幅した信号を、減算器３４で減じることによりＤＰＰ信号が得られる。すなわち、ＤＰＰ信号は、次の式（１）によって与えられる。
ＤＰＰ＝ＭＰＰ−ｋ（ＳＰＰ１＋ＳＰＰ２）                …（１）
ここで、増幅器３３における増幅率ｋは、０次回折光と±１次回折光との光強度の違いを補正するために用いられる係数であり、各回折光の光強度比が次のように、０次回折光の光強度：＋１次回折光の光強度：−１次回折光の光強度＝ａ：ｂ：ｂであるとき、ｋ＝ａ／（２ｂ）で与えられる。
【００１０】
前述のように、ＳＢ１およびＳＢ２は、ＭＢの照射されている情報トラック２２からラジアル方向の両側に２分の１トラックピッチだけずれた位置に照射されているので、ＳＰＰ１およびＳＰＰ２の位相は、ＭＰＰの位相に対して１８０度ずれた位相になる。また、光軸ずれによるオフセットの発生は同相で発生する。よって、オフセットが発生した場合においても、両者の差動演算によってオフセットがキャンセルしてなくなり、光量の変化、レンズシフトの影響を低減することができる。
【００１１】
トラッキング誤差信号検出にＭＢとＳＢを用いる光ピックアップでは、一般的に、ＭＢとＳＢとにおける光強度の比が１０：１程度となっている。このような光ピックアップで２層光記録媒体を再生した場合、以下のような問題が発生する。
【００１２】
図１０は、２層光記録媒体としての光記録媒体１０（以下、図１０の説明では２層光記録媒体１０と記す）の構成を説明する図である。２層光記録媒体１０は、１枚の光記録媒体に大容量の情報を記録するための光記録媒体である。この２層光記録媒体１０は、光ピックアップからの光ビームが入射する側に配された第１の記録層１０ａと、光ディスク表面から第１の記録層１０ａよりも遠い側に配された第２の記録層１０ｂとを備えている。すなわち、２層光記録媒体１０では、光ピックアップからの光が入射される側から、第１の記録層１０ａ、第２の記録層１０ｂがこの順に配されている。例えば、ブルーレイディスクでは、光ディスク表面から第１の記録層１０ａまでの距離を７５μｍ、第２の記録層１０ｂまでの距離を１００μｍに設定されている。これらの距離の値は、光ディスクの規格のよって定められている。
【００１３】
光ピックアップからの出射光を２層光記録媒体１０の第１の記録層１０ａに集光する場合、第１の記録層１０ａを透過した光が第２の記録層１０ｂで反射し、焦点のあっていないデフォーカス光として光検出器に入射する。この光が、記録層以外の迷光として、ＴＥＳ信号などのサーボ信号に悪影響を与える。この迷光の影響を改善する技術が、例えば特許文献１に開示されている
図１１は、従来の光検出器での受光素子形状と信号演算とを説明するための系統図である。０次回折光であるメインビームからの反射光は、受光素子Ａ、Ｂ、Ｃ、Ｄで受光される。そして、ヘッドアンプ３１ａ〜３１ｄによって、増幅された後、加算器、減算器及び正規化回路を介してＭＰＰ信号として検出される。
【００１４】
また、サブビームからの反射光は、受光素子Ｅ、Ｆ，Ｇ，及びＨで検出される。また、２層光記録媒体の記録層以外からの反射光である他層からの迷光は、サブビームを検出するための受光素子の両側に配された受光素子Ｉ及びＪによって検出される。ここで、受光素子Ｉからの出力信号は、ヘッドアンプにより増幅され、さらにｍ倍された後、減算器によって、（Ｅ＋Ｆ）−ｍＩの演算がなされ、迷光の影響が除去されている。もう一方の受光素子Ｊにおいても、同様の演算がなされ、迷光の影響を除去されている。
【００１５】
さらに、ＭＰＰとＳＰＰ１＋ＳＰＰ２との差信号によりトラッキング誤差信号であるＤＰＰ信号を得ることができ、２層光記録媒体の記録再生時の発生する他層からの迷光の影響の無いトラッキングサーボを実現している。
【特許文献１】特開２００５―３４６８８２号公報（平成１７(2005)年１２月１５日）
【発明の開示】
【発明が解決しようとする課題】
【００１６】
しかしながら、上記従来の光ピックアップでは、２層光記録媒体において、記録再生の用いていない（記録再生の対象としていない）他の記録層に、情報が記録されている記録部と情報が記録されていない未記録部とが存在する場合については、議論されていない。図１２は、記録再生層以外の他層に記録部と未記録部とが存在する場合を説明するための説明図である。
【００１７】
図１２（ａ）及び（ｂ）に示すように、２層の記録層が積層された光記録媒体１０では、２層の記録層のうち一方の記録層に記録部と未記録部とが存在する場合がある。このような光記録媒体１０を記録再生する場合について考察する。例えば、図１２（ａ）に示すように、第１の記録層１０ａ（もしくは第２の記録層１０ｂ）にアクセスしている際に、第２の記録層１０ｂ（もしくは第１の記録層１０ａ）における記録部と未記録部の境界部分の上（もしくは下）を通過する場合する場合を考える。ここでは、第１の記録層１０ａを記録再生し、第２の記録層１０ｂに記録部と未記録部の境界がある場合（図１０（ａ））について、具体的に説明する。光記録媒体１０の第１の記録層１０ａにアクセスした場合、第１記録層１０ａに入射した光ビームの１部（３８％程度）は反射され、戻り光４２となって光検出器に入射する。また、残りの光ビーム（６２％程度）は第１記録層１０ａを透過し、第２記録層１０ｂにおいてほぼ全て反射されたあと第１の記録層１０ａを透過して、迷光４３として入射する。
【００１８】
図１３に、光検出器に入射する第１記録層１０ａからの戻り光の照射領域４４、第２記録層１０ｂの記録部からの迷光が照射される迷光照射領域４４ａ、および第２記録層１０ｂの未記録部からの迷光が照射される迷光照射領域４４ｂを示す。図１３に示されるように、第２記録層１０ｂの記録部と未記録部との反射率の違いにより、記録部からの迷光（迷光照射領域４４ａに照射される光）は未記録部からの迷光（迷光照射領域４４ｂに照射される光）よりも光量が弱くなる。それゆえ、第２記録層１０ｂにおける記録部と未記録部との境界は、迷光照射領域（記録部）４４ａと迷光照射領域（未記録部）４４ｂとの境界Ｋとして、受光部上に現われることになる。
【００１９】
この第２記録層１０ｂの記録部と未記録部との境界としての境界Ｋは、光ビーム光軸とトラックとの位置関係に応じて受光部上を移動することになる。このとき、従来例（特許文献１）のように、サブビームを検出するための受光素子の両側に、迷光を受光する受光素子が配置された構成によりＳＰＰ信号を演算すると、受光部上で移動する記録部と未記録部との境界Ｋの位置によっては、ＤＰＰ信号にオフセットが発生する。
【００２０】
図１４は、図１１に示された信号演算回路での信号出力を説明するための説明図である。
【００２１】
図１４において、領域５０は、第２記録層１０ｂの未記録部で反射した光（迷光）が受光素子Ｅ，Ｆ，Ｉ全てに入射している場合における信号出力を示す。また、領域５１は、第２記録層１０ｂの記録部で反射した光ビームが受光素子Ｅ、Ｆの左側に位置する受光素子Ｉにのみ入射した場合における信号出力を示す。また、領域５２は、第２記録層１０ｂの記録部で反射した光ビームが、受光素子Ｅ・Ｆと受光素子Ｅ・Ｆの左側に位置する受光素子Ｉとの両方に入射した場合における信号出力を示す。また、領域５３は、第２記録層１０ｂの記録部で反射した光ビームが受光素子Ｅ，Ｆ，Ｉ全てに入射している場合における信号出力を示している。
【００２２】
すなわち、領域５０〜領域５３は、迷光照射領域（記録部）４４ａと迷光照射領域（未記録部）４４ｂとの境界Ｋが、図１３紙面における左側から右側へ移動（横断）した際に、信号出力（受光素子Ｅ，Ｆ，Ｉの何れかで出力される信号）が変化する領域を示す。領域５０は、境界Ｋが受光素子Ｅ、Ｆの左側に位置する受光素子Ｉよりもさらに左側に位置した場合における出力信号を示す。領域５１は、境界Ｋが受光素子Ｅ、Ｆの左側に位置する受光素子Ｉ上に位置した場合における信号出力を示す。領域５２は、境界Ｋが受光素子Ｅ、Ｆ上に位置した場合における信号出力を示す。領域５３は、境界Ｋが、受光素子Ｅ、Ｆの右側に位置する受光素子Ｉよりもさらに右側に位置した場合における信号出力を示す。
【００２３】
図１４（ａ）において、領域５０では、受光素子Ｅ，Ｆ，及びＩのいずれにも、未記録部からの反射光のみが入射しているため、光量に差は見られない。また、領域５３においても、受光素子Ｅ，Ｆ，及びＩのいずれにも、記録部からの反射光のみが入射しているため、光量に差は見られない。
【００２４】
一方、領域５０と領域５３との間である（境界Ｋが受光素子Ｅ、Ｆの左側に位置する受光素子Ｉ上、または受光素子Ｅ、Ｆ上に位置している）領域５１及び５２では、未記録部と記録部との境界としての境界Ｋが受光素子上を横断する際、出力信号に光量変化が生じていることが分かる。具体的には、領域５１（境界Ｋが受光素子Ｅ、Ｆの左側に位置する受光素子Ｉ上に位置したとき）では、受光素子Ｉにおける出力信号に変化が見られる。また、領域５２（境界Ｋが受光素子Ｅ、Ｆ上に位置したとき）では、受光素子Ｅ，Ｆにおける出力信号に変化が見られる。
【００２５】
図１４（ｂ）は、図１４（ａ）に示された出力信号の演算結果を示している。この図に示されるように、Ｅ−Ｆは、オフセット変化の無い良好な結果となっている。これに対して、Ｅ＋Ｆ−ｍＩには、オフセット変化が見られる。
【００２６】
図１４（ｃ）は、正規化した結果を示している。この図に示されるように、図１４（ｂ）で発生したＥ＋Ｆ−ｍＩのオフセット変化のために、ＳＰＰ１信号にオフセット変化と振幅変化が発生する。これは、もう一方のサブビームＳＢ２においても、同様の結果となる。また、図１４（ｄ）の示すように、ＳＰＰ信号にもオフセット変化と振幅変化が発生する一方、メインビームＭＢのプッシュプル信号であるＭＰＰ信号には、オフセット変化及び振幅変化の発生は見られない。
【００２７】
図１４（ｅ）は、トラッキング誤差信号であるＤＰＰ信号を示している。この図に示されるように、ＤＰＰ信号は、オフセット変化と振幅変化が発生する結果となっている。
【００２８】
上述のことから、従来の光ピックアップ装置においては、２層光記録媒体の記録再生層以外の他層に情報が記録されている記録部と情報が記録されていない未記録部が存在する場合に、トラッキング誤差信号であるＤＰＰ信号にオフセット変化が発生し、安定したトラッキングサーボが行えないという課題がある。
【００２９】
本発明は、上記の問題点に鑑みてなされたものであり、その目的は、複数の記録層を有する光記録媒体の記録再生対象とする記録層以外の他層に情報が記録されている記録部と情報が記録されていない未記録部が存在する場合においても、トラッキング誤差信号であるＤＰＰ信号にオフセット変化が発生せず、安定したトラッキングサーボを行うことができる光ピックアップ装置を提供することである。
【課題を解決するための手段】
【００３０】
本発明に係る光ピックアップ装置は、上記課題を解決するために、複数の記録層を有する光記録媒体に光ビームを照射する光源と、前記光源からの光をメインビームと少なくとも１つのサブビームとに分割する回折素子と、前記光記録媒体に前記光源からの光を集光する集光手段と、前記光記録媒体からの反射光を受光する光検出手段とを備えた光ピックアップ装置において、前記光検出手段は、メインビームの反射光を検出する第１の受光部とサブビームの反射光を検出する第２の受光部とを有し、第１の受光部と第２の受光部との間には、補助受光部が配置されていることを特徴としている。
【００３１】
本発明に係る光ピックアップ装置では、前記補助受光部は、記録層以外の層からの反射光を受光するようになっていることが好ましい。
【００３２】
上記の構成によれば、メインビームの反射光を検出する第１の受光部とサブビームの反射光を検出する第２の受光部との間に、補助受光部が配置されているとともに、前記補助受光部は、記録層以外の層からの反射光を受光するようになっている。このため、複数の記録層を有する光記録媒体において、記録再生の用いていない（記録再生の対象としていない）他の記録層に、情報が記録されている記録部と情報が記録されていない未記録部とが存在する場合に、トラッキング誤差信号であるＤＰＰ信号にオフセット変化が発生し、安定したトラッキングサーボが行えないという問題が招来しない。
【００３３】
従って、上記の構成によれば、複数の記録層を有する光記録媒体の記録再生対象とする記録層以外の他層に情報が記録されている記録部と情報が記録されていない未記録部が存在する場合においても、トラッキング誤差信号であるＤＰＰ信号にオフセット変化が発生せず、安定したトラッキングサーボを行うことが可能になる。
【００３４】
また、本発明に係る光ピックアップ装置では、前記第１の受光部、第２の受光部、及び補助受光部は、前記メインビームの光軸と交差し、かつ光記録媒体のタンジェンシャル方向に平行な分割線により分割されていることが好ましい。
【００３５】
上記の構成によれば、複数の記録層を有する光記録媒体の記録再生対象とする記録層以外の他層に情報が記録されている記録部と情報が記録されていない未記録部の境界が、光検出器上を横断する場合においても、メインビームを受光する受光素子と迷光を受光する受光素子とがともにタンジェンシャル方向に平行な分割線により分割されることによって、トラッキング誤差信号であるＤＰＰ信号にオフセット変化が発生せず、安定したトラッキングサーボを行うことが可能になる。
【００３６】
また、本発明に係る光ピックアップ装置では、前記第２の受光部と前記補助受光部とにおける前記分割線がそれぞれ、同一線上になるように配置されていることが好ましい。
【００３７】
上記の構成によれば、複数の記録層を有する光記録媒体の記録再生対象とする記録層以外の他層に情報が記録されている記録部と情報が記録されていない未記録部の境界が、光検出器上を横断する場合、それぞれのサブビームから得られる信号に境界が横断する際に伴う光量変化に時間差が生じないため、トラッキング誤差信号であるＤＰＰ信号にオフセット変化が発生せず、安定したトラッキングサーボを行うことが可能になる。
【００３８】
また、本発明に係る光ピックアップ装置では、第２の受光部及び補助受光部はそれぞれ、前記分割線により分割された２つの受光素子からなり、第２の受光部及び補助受光部における４つの受光素子のうち、対角に配置された前記受光素子同士が結線されていることが好ましい。
【００３９】
上記の構成によれば、複数の記録層を有する光記録媒体の記録再生対象とする記録層以外の他層に情報が記録されている記録部と情報が記録されていない未記録部の境界が、光検出器上を横断する場合、対角に配置された受光素子同士が結線されることによって、境界部が受光素子上を横断する際のオフセット変化がキャンセルされるため、トラッキング誤差信号であるＤＰＰ信号にオフセット変化が発生せず、安定したトラッキングサーボを行うことが可能になる。
【００４０】
また、本発明に係る光ピックアップ装置では、第２の受光部及び補助受光部はそれぞれ、前記分割線により分割された２つの受光素子からなり、第２の受光部及び補助受光部における４つの受光素子それぞれから、独立して信号が出力されるようになっていることが好ましい。
【００４１】
上記の構成によれば、複数の記録層を有する光記録媒体の記録再生対象とする記録層以外の他層に情報が記録されている記録部と情報が記録されていない未記録部の境界が、光検出器上を横断する場合、それぞれの受光素子から独立して信号が出力されるため、それぞれの出力信号を独立して演算できることから、トラッキング誤差信号であるＤＰＰ信号にオフセット変化が発生せず、安定したトラッキングサーボを行うことが可能になる。
【００４２】
また、本発明に係る光ピックアップ装置では、前記光検出手段は、プッシュプル信号演算部を備え、前記プッシュプル信号演算部は、第２の受光部及び補助受光部における上記４つの受光素子のうち、対角に配置された受光素子から出力される信号同士の和信号を演算するとともに、各和信号を差動することでサブビームからのプッシュプル信号を演算するようになっていることが好ましい。
【００４３】
上記の構成によれば、複数の記録層を有する光記録媒体の記録再生対象とする記録層以外の他層に情報が記録されている記録部と情報が記録されていない未記録部の境界が、光検出器上を横断する場合、それぞれの受光素子から独立して信号が出力されるため、それぞれの出力信号を独立して演算できることから、トラッキング誤差信号であるＤＰＰ信号にオフセット変化が発生せず、安定したトラッキングサーボを行うことが可能になる。
【００４４】
また、本発明に係る光ピックアップ装置では、前記プッシュプル信号演算部は、記録再生層以外の層からの反射光の影響をキャンセルするように、前記補助受光部から出力される信号を増幅する増幅器を備えたことが好ましい。
【００４５】
従って、上記の構成によれば、複数の記録層を有する光記録媒体の記録再生対象とする記録層以外の他層に情報が記録されている記録部と情報が記録されていない未記録部の境界が、光検出器上を横断する場合、それぞれの受光素子から独立して信号が出力した後、増幅器によってそれぞれの出力信号を独立して増幅することによって、受光素子の受光部サイズや迷光の光強度分布の影響などを緩和する演算を行うことが可能となるため、トラッキング誤差信号であるＤＰＰ信号にオフセット変化が発生せず、安定したトラッキングサーボを行うことが可能になる。
【００４６】
また、本発明に係る光ピックアップ装置では、トラッキングサーボとして、ＤＰＰ法を用いていることが好ましい。
【発明の効果】
【００４７】
本発明に係る光ピックアップ装置は、以上のように、前記光検出手段は、メインビームの反射光を検出する第１の受光部とサブビームの反射光を検出する第２の受光部とを有し、第１の受光部と第２の受光部との間には、補助受光部が配置されている構成である。
【００４８】
それゆえ、複数の記録層を有する光記録媒体の記録再生対象とする記録層以外の他層に情報が記録されている記録部と情報が記録されていない未記録部が存在する場合においても、その境界付近でトラッキング誤差信号であるＤＰＰ信号にオフセット変化が発生せず、安定したトラッキングサーボを行うことが可能になる。
【発明を実施するための最良の形態】
【００４９】
〔実施の形態１〕
本発明の一実施の形態について説明する。なお、以下に述べる実施の形態は、本発明の好適な具体例であるから、技術的に好ましい種々の限定が付されているが、本発明の範囲は、以下の説明において、特に本発明を限定する旨の記載がない限り、これらの態様に限られるものではない。図１は、本実施形態の光ピックアップ装置（以下、本光ピックアップ装置と記す）の概略構成を示す説明図である。
【００５０】
図１に示すように、本光ピックアップ装置１は、光源である半導体レーザ２と、コリメータレンズ３と、回折格子（回折素子）４と、偏光ビームスプリッタ５と、１/４波長板６と、集光手段である対物レンズ７と、光記録媒体１０から反射した光ビームを受光し信号を得るための光検出器（光検出手段）９と、光検出器９に光ビームを集光させる集光レンズ８とから構成されている。偏光ビームスプリッタ５は、光ディスク１０（光記録媒体）から反射した光ビームを前記光源からの出射された光ビームの光軸から分岐する光軸分岐手段である。また、光記録媒体１０は、２層光記録媒体であり、情報を記録する記録層として、第１記録層１０ａと第２記録層１０ｂとを備えている。
【００５１】
半導体レーザ２からＰ偏光の直線偏光として放射された光ビームは、回折格子４によってメインビーム（非回折光）と２つのサブビーム（±１次回折光）とに分割され、コリメータレンズ３を通過する。そして、偏光ビームスプリッタ５の偏光ビームスプリッタ面５ａを透過し、１／４波長板６でＰ偏光の直線偏光から円偏光に変換され、対物レンズ７により光記録媒体１０の第１記録層１０ａもしくは第２記録層１０ｂに集光される。
【００５２】
光記録媒体１０の第１記録層１０ａもしくは第２記録層１０ｂで反射した光ビーム（戻り光）は、再び対物レンズ７および１／４波長板６を通過し、円偏光からＳ偏光の直線偏光に変換されて偏光ビームスプリッタ５に入射する。そして、偏光ビームスプリッタ面５ａで反射され、集光レンズ８により集光され、光検出器９に導かれる。
【００５３】
光検出器９は、第１受光部９ａ〜第５受光部９ｅの５つの受光部を備えている。第１受光部５ａは、光記録媒体から反射された光ビームのうちメインビームの反射光を受光する。また、第２受光部９ｂ及び第３受光部９ｃは、光記録媒体から反射された光ビームのうちサブビームの反射光を受光する。また、第４受光部９ｄおよび第５受光部９ｅは、主に記録層以外の層からの反射光（迷光）を受光するようになっている。
【００５４】
第１受光部９ａ〜第５受光部９ｅにて受光された光ビームは、信号として出力される。光検出器９内で、この出力信号を演算することで、フォーカス誤差信号、トラッキング誤差信号、及び再生信号が得られるようになっている。
【００５５】
なお、ここでいう「記録層以外の層」とは、複数の記録層を有する光記録媒体において、記録の対象としている記録層以外の記録層のことをいう。さらに換言すると、対物レンズにより光ビームの集光スポットが形成された記録層以外の記録層のことをいう。例えば、光記録媒体１０における第１記録層１０ａを記録の対象としている（第１記録層１０ａに光ビームの集光スポットが形成されている）場合、第２記録層１０ｂが「記録層以外の層」となる。
【００５６】
本光ピックアップ装置は、第１受光部９ａと第２受光部９ｂとの間（あるいは第１受光部９ａと第３受光部９ｃとの間）に第４受光部４ｄ（もしくは第５受光部４ｅ）が配置されていることを特徴としている。これにより、複数の記録層を有する光記録媒体の記録再生対象とする記録層以外の他層に情報が記録されている記録部と情報が記録されていない未記録部が存在する場合においても、トラッキング誤差信号であるＤＰＰ信号にオフセット変化が発生せず、安定したトラッキングサーボを行うようになっている。
【００５７】
以下、光検出器における第１受光部〜第５受光部の配置について、図２に基づいて説明する。図２は、本光ピックアップ装置における光検出器を説明する図である。
【００５８】
光検出器９は、図２に示すように、第１受光部〜第５受光部（受光部９ａ、９ｂ、９ｃ、９ｄ、９e）を備えている。
【００５９】
第１受光部９ａは、メインビーム（非回折光）の光軸と交差し光記録媒体１０のタンジェンシャル方向に平行な分割線１１と、メインビームの光軸と交差しラジアル方向に平行な分割線１２とにより４つに分割された受光素子Ａ、Ｂ、Ｃ、Ｄからなる。
【００６０】
第２受光部９ｂおよび第３受光部９ｃは、第１受光部９ａから光記録媒体１０のタンジェンシャル方向に間隔をあけて配置されている。第２受光部９ｂは、光記録媒体１０のタンジェンシャル方向に平行な分割線１３によって２つの領域に分割された受光素子Ｅ、Ｆからなる。また、第３受光部９ｃは、光記録媒体１０のタンジェンシャル方向に平行な分割線１４によって２つの領域に分割された受光素子Ｇ、Ｈからなる。なお、第２受光部９ｂおよび第３受光部９ｃはそれぞれ、サブビーム（±１次回折光）の光軸が分割線１３及び１４と交差するように配置されている。
【００６１】
第４受光部９ｄおよび第５受光部９ｅはそれぞれ、第１受光部９ａと第２受光部９ｂとの間、および第１受光部９ａと第３受光部９ｃとの間に配置されている。第４受光部９ｄは、光記録媒体１０のタンジェンシャル方向に平行な分割線１５によって、２つの領域に分割された受光素子Ｅ’、Ｆ’からなる。また、第５受光部９ｅは、光記録媒体１０のタンジェンシャル方向に平行な分割線１６によって、２つの領域に分割された受光素子Ｇ’、Ｈ’からなる。
【００６２】
図２に示されるように、本光ピックアップ装置では、第１〜第５受光部における、光記録媒体１０のタンジェンシャル方向に平行な分割線（１１、１３、１４、１５、１６）は、それぞれ同一線上に配置されている。しかしながら、これら分割線は、回折格子４の回転調整に伴って光検出器９上でビーム位置が変化することを考慮に入れて、同一直線上ではなく、オフセットした位置で受光部を分割した分割線であってもよい。
【００６３】
また、第２受光部９ｂと第３受光部９ｃとは、第１受光部９ａの分割線１２に対して線対称な位置に配置されている。また、第４受光部９ｄと第５受光部９ｅとは、第１受光部９ａの分割線１２に対して線対称な位置に配置されている。
【００６４】
図１に示されるように、回折格子４で生成されたメインビームが、対物レンズ７により光記録媒体１０の一方の記録層（第１記録層１０ａもしくは第２記録層１０ｂ）の情報トラック（図８に示された情報トラック２２）に集光され、反射されて戻り光１７となる。第１受光部９ａには、この戻り光１７が入射する。
【００６５】
また、回折格子４で生成されたサブビームは、光記録媒体１０の一方の記録層（１０ａもしくは１０ｂ）のランド部（図８に示されたランド部２３，２４）で反射し、戻り光１８，１９になる。第２受光部９ｂおよび第３受光部９ｃには、戻り光１８，１９が入射する。
【００６６】
第４受光部９ｄおよび第５受光部９ｅには、メインビームが集光した記録層とは異なる記録層から反射された迷光（図１２に示された迷光４３参照）のみが入射するように配置されている。それゆえ、第４受光部９ｄおよび第５受光部９ｅには、記録再生の対象とする記録層からの信号光（メインビーム及びサブビーム）は入射しない。
【００６７】
なお、迷光は広がった状態で光検出器９に入射するため、第１受光部９ａ、第２受光部９ｂ、および第３受光部９ｃにも、同様に集光した記録層とは異なる記録層からの迷光が入射する。ここで、第４受光部９ｄおよび第５受光部９ｅは、第一受光部９ａと第２受光部９ｂ・第３受光部９ｃとの間に配置されている。このため、第４受光部９ｄおよび第５受光部９ｅにも同様に迷光が入射する。詳細については、後述する。
【００６８】
ところで、光検出器９は、受光素子Ａ〜Ｈ’からの検出信号からプッシュプル信号を演算するプッシュプル信号演算部（不図示）を備えている。そして、本光ピックアップ装置では、プッシュプル信号演算部から得られたプッシュプル信号からトラッキング誤差信号等が得られるようになっている。
【００６９】
以下、プッシュプル信号演算部による演算について、図３に基づいて説明する。図３は、光検出器９の受光素子Ａ〜Ｈ’の検出信号の演算を示す系統図である。
【００７０】
図３において、信号処理回路（プッシュプル信号演算部）は、第１受光部９ａに含まれる受光素子Ａ、Ｂ、Ｃ、Ｄの検出信号と減算回路２１とによってメインプッシュプル信号（ＭＰＰ）を得るようになっている。
【００７１】
ここでＭＰＰは次式（２）で与えられる。
ＭＰＰ＝（Ａ＋Ｂ）−（Ｃ＋Ｄ）                …（２）
第２受光部９ｂに含まれる受光素子Ｅ、Ｆ、および第４受光部９ｄに含まれる受光素子Ｅ’、Ｆ’にて検出されるＳＢ１の受光信号は、減算回路２２により演算される。これによってＳＢ１のプッシュプル信号ＳＰＰ１が得られる。ここでＳＰＰ１は次の式（３）で与えられる。
ＳＰＰ１＝（Ｅ＋Ｅ’）−（Ｆ＋Ｆ’）    …（３）
第３受光部９ｃに含まれる受光素子Ｇ、Ｈ、および第５受光部９ｅに含まれる受光素子Ｇ’、Ｈ’にて検出されるＳＢ２の受光信号は、減算回路２３により演算される。これによってＳＢ２のプッシュプル信号ＳＰＰ２が得られる。ここでＳＰＰ２は次の式（４）で与えられる。
ＳＰＰ２＝（Ｇ＋Ｇ’）−（Ｈ＋Ｈ’）          …（４）
また、ＳＰＰ１およびＳＰＰ２を加算器２４により演算することにより、加算信号ＳＰＰ（＝ＳＰＰ１＋ＳＰＰ２）が得られる。そして、加算信号ＳＰＰは、増幅器２５によりｋ倍に増幅される。さらに、前述のＭＰＰから、増幅器２５によって増幅された加算信号ｋＳＰＰを減算器２６で減じることにより、ＤＰＰ信号が得られる。ＤＰＰ信号は、次の式（５）によって与えられる。
ＤＰＰ＝ＭＰＰ−ｋ（ＳＰＰ１＋ＳＰＰ２）…（５）
次に、光記録媒体１０の第１記録層１０ａの情報を記録再生する場合の動作について図１２（ａ）を用いて説明する。半導体レーザ２から出射された光ビームは、対物レンズ７で光記録媒体１０の第１記録層１０ａに集光される。また、第１記録層１０ａを透過した光は、第２記録層１０ｂにデフォーカスした状態で照射され、第２記録層１０ｂで反射された後、光検出器９に導かれる。なお、図１２（ａ）は、記録再生の対象とする記録層とは別の記録層（第２記録層１０ｂ）において、情報信号が記録されている記録部（ハッチング部）と情報が記録されていない未記録部とがある状態を示している。
【００７２】
図４は、光検出器９上での迷光の状態を説明する図である。なお、図４は、光記録媒体１０の第１記録層１０ａを記録再生の対象とし、第２記録層１０ｂを「記録層以外の層」とした場合に、第２記録層１０ｂから反射される迷光の状態を示している。
【００７３】
図４において、迷光照射領域２０ａは、第２記録層１０ｂの記録部で反射した光（迷光）が照射される領域であり、迷光照射領域２０ｂは、第２記録層１０ｂの未記録部で反射した光（迷光）が照射される領域である。また、照射領域１７は、第１記録層１０ａで反射したメインビームが照射される領域であり、照射領域１８・１９はそれぞれ、第１記録層１０ａで反射した２つのサブビームが照射される領域である。
【００７４】
ここで、光記録媒体１０として、未記録部に対し記録部における反射率が低下する相変化記録媒体を用いた場合について説明する。なお、図４では、メインビームが、迷光照射領域２０ａと迷光照射領域２０ｂとの境界（第２記録層における未記録部と記録部との境界）を通過する場合を示している。しかしながら、迷光照射領域２０ａと迷光照射領域２０ｂとの境界は、この場合に限定されない。上述したように、この境界は、光検出器の受光部上を移動する。
【００７５】
図４に示すように、迷光照射領域２０ａと迷光照射領域２０ｂとの境界は、第１〜第３受光部のタンジェンシャル方向に平行な分割線１１・１３・１４とほぼ平行な状態となる。
【００７６】
図５は、図４に示された迷光の状態における信号出力を示す図である。
【００７７】
図５において、領域５０’は、第２記録層１０ｂの未記録部で反射した迷光が光検出器９のすべての受光素子（受光素子Ａ〜Ｈ’）で受光される場合における信号出力を示す。また、領域５１’は、記録部を未記録部の境界付近に照射された場合における信号出力を示す。領域５１’では、受光素子Ｅと受光素子Ｆ’とに（第２記録層１０ｂの）記録部からの反射光（迷光）が入射する一方、受光素子Ｆと受光素子Ｅ’とに（第２記録層１０ｂの）未記録部からの反射光が入射するようになっている。また、領域５２’は、（第２記録層１０ｂの）記録部からの反射光がすべての受光素子（受光素子Ａ〜Ｈ’）に入射した場合における信号出力を示す。
【００７８】
換言すると、領域５０’〜領域５２’は、迷光照射領域（記録部）２０ａと迷光照射領域（未記録部）２０ｂとの境界が、図４の紙面における左側から右側へ移動（横断）した際に、信号出力（受光素子Ｅ，Ｅ’，Ｆ，Ｆ’の何れかで出力される信号）が変化する領域を示す。領域５０’は、上記境界が受光素子Ｅ，Ｅ’よりもさらに左側に位置しており、未記録部からの迷光が受光素子の入射する場合における出力信号を示す。領域５１’は、上記境界が受光素子Ｅ，Ｅ’，Ｆ，Ｆ’の何れかの受光素子上に位置した場合における信号出力を示す。領域５２’は、上記境界が、受光素子Ｆ，Ｆ’よりもさらに右側に位置しており、記録部からの迷光が受光素子の入射する場合における信号出力を示す。
【００７９】
図５（ａ）において、領域５０’では、受光素子Ｅ，Ｅ’，Ｆ，及びＦ’のいずれにも、未記録部からの反射光のみが入射しているため、光量に差は見られない。また、領域５２’においても、受光素子Ｅ，Ｅ’，Ｆ，及びＦ’のいずれにも、記録部からの反射光のみが入射しているため、光量に差は見られない。
【００８０】
一方、領域５０’と領域５２’との境界である領域５１’では、未記録部と記録部との境界が受光素子上を横断する際に、出力信号Ｅと出力信号Ｆとにおける光量変化に時間差が生じていることが分かる。具体的には、領域５０’から領域５１’へ向かう時（迷光照射領域（記録部）２０ａと迷光照射領域（未記録部）２０ｂとの境界が受光素子Ｅ，Ｅ’，Ｆ，Ｆ’の何れかの受光素子上に位置したとき）には、出力信号ＳＥ及び出力信号ＳＦ’に光量変化が生じている。また、領域５１’から領域５２’へ向かう時（迷光照射領域（記録部）２０ａと迷光照射領域（未記録部）２０ｂとの境界が受光素子Ｆ，Ｆ’よりもさらに右側に位置したとき）には、出力信号ＳＥ’及び出力信号ＳＦに光量変化が生じている。
【００８１】
また、図５（ｂ）は、図５（ａ）に示された出力信号の演算結果を示している。この図に示されるように、Ｅ＋Ｅ’とＦ＋Ｆ’とに時間差は発生していない。その結果、それぞれの差信号であるＳＰＰ１は、オフセットの無い良好な信号を検出することができる。
【００８２】
これは、他方のサブビームを検出する受光素子Ｇ，Ｈ、Ｇ’、Ｈ’においても同様であるため、ＳＰＰ２もオフセットの無い良好な信号を検出することができる。
【００８３】
ここで、メインビームが入射する第１受光部９ａにも迷光が入射しているが、第１受光部に入射するメインビームの光量と比較すると、迷光の光量は１０％以下程度とかなり少ないため、ＭＰＰでの迷光の影響はほとんど無視できる。従って、ＳＰＰから迷光の影響を除去すれば、記録再生している層とは異なる層に記録部と未記録部が含まれる場合でも、ＤＰＰにオフセットが発生しなくなり、正確なトラッキングサーボを行うことが可能となる。このときのＤＰＰ波形を図５（ｅ）に示す。
【００８４】
なお、上記では光記録媒体１０の第２記録層１０ｂに記録部と未記録部とがある場合について説明したが、第１記録層１０ａに記録部と未記録部とがある場合でも、同様の効果が得られることは言うまでもない。
【００８５】
なお、本実施形態では、第２受光部９ｂと第３受光部９ｃが有する光記録媒体１０のタンジェンシャル方向に平行な分割線（１３、１４）は、同一線上に配置されているが、これに限定されるものではなく、第２受光部９ｂおよび第３受光部９ｃに迷光が入射していれば、同様にＳＰＰに含まれる迷光の影響を低減することが可能である。
【００８６】
なお、本実施形態では記録層に記録部と未記録部が存在する場合について説明したが、記録層に記録部と未記録部が存在しない場合、例えば記録層の全てが記録部である場合であっても、同様にオフセットのないＤＰＰ信号が得られることは言うまでもない。
【００８７】
なお、本発明について２層ディスクを用いた場合について説明したが、３層以上の複数の記録再生層を有するディスクにおいても前述と同様の効果が得られることは言うまでもない。
【００８８】
このように本発明によれば、複数の記録層を有する光記録媒体の記録再生時において、光検出器に均一でない迷光が入射する場合、たとえば記録再生層に記録部と未記録部がある場合のような場合であっても、ＤＰＰにオフセットが発生せず、正確なトラッキングを実現することが可能となる。
【００８９】
〔実施の形態２〕
本発明の実施の他の形態について、図６に基づいて説明すると、以下の通りである。図６は、本実施形態の光検出器のパターン及び信号演算を説明する系統図である。なお、説明の便宜上、前記の実施の形態１の図面に示した部材と同一の機能を有する部材については、同一の符号を付し、その説明を省略する。さらに、本実施形態においても、光ピックアップ装置１は、上記実施の形態１における図１と同様であるので、説明を省略する。
【００９０】
本光ピックアップは、図６に示されるように、上記実施の形態１の光検出器におけるパターン及び信号演算を変えることで安定した２層光記録媒体で安定したトラッキング制御を実現している。図６に示されるように、光検出器９の受光部の構成は、実施の形態１と同様であるため、省略する。
【００９１】
本実施形態は、受光素子Ｅと受光素子Ｅ’との間、受光素子Ｆと受光素子Ｆ’との間、受光素子Ｇと受光素子Ｇ’との間、及び受光素子Ｈと受光素子Ｈ’との間が結線されていない。本実施形態は、それぞれの受光素子が独立して出力されている点が実施の形態１とは異なる。
【００９２】
図６において、信号処理回路（プッシュプル信号演算部）は、第１受光部９ａに含まれる受光素子Ａ、Ｂ、Ｃ、Ｄの検出信号と減算回路２１によってメインプッシュプル信号（ＭＰＰ）が得るようになっている。
【００９３】
ここでＭＰＰは次式（２）で与えられる。
ＭＰＰ＝（Ａ＋Ｂ）−（Ｃ＋Ｄ）              …（２）
第２の受光部９ｂに含まれる受光素子Ｅ、Ｆによって検出されるＳＢ１の受光信号を減算回路２２で演算することによってＳＢ１のプッシュプル信号Ｅ−Ｆが得られる。また、第４の受光部９ｄに含まれる受光素子Ｅ’、Ｆ’によって検出される他層の迷光が減算回路２２’で演算することによって、他層の迷光Ｅ’−Ｆ’が検出される。さらに、それぞれの信号Ｅ−Ｆ、Ｅ’−Ｆ’は、加算器２７によって演算され、迷光の影響が除去されたＳＢ１のサブプッシュプル信号ＳＰＰ１は次の式（６）で与えられる。
ＳＰＰ１＝（Ｅ−Ｆ）＋ｍ（Ｅ’−Ｆ’）…（６）
ここで、ｍは光検出器の形状（受光面積）や、他層からの迷光のサイズによって最適な値が設定され、他層の迷光の影響を除去している。なお、図６において、信号Ｅ’−Ｆ’は、増幅器２２’ａによりｍ倍に増幅されている。
【００９４】
第３の受光部９ｃに含まれる受光素子Ｇ、Ｈによって検出されるＳＢ２の受光信号を減算回路２３で演算することによってＳＢ２のプッシュプル信号Ｇ−Ｈが得られる。また、第５の受光部９ｅに含まれる受光素子Ｇ’、Ｈ’によって検出される他層の迷光が減算回路２３’で演算することによって、他層の迷光Ｇ’−Ｈ’が検出される。さらに、それぞれの信号Ｇ−Ｈ、Ｇ’−Ｈ’は、加算器２７によって演算され、迷光の影響を除去されたＳＢ２のサブプッシュプル信号ＳＰＰ２は次の式（７）で与えられる。
ＳＰＰ２＝（Ｇ−Ｈ）＋ｎ（Ｇ’−Ｈ’）…（７）
ここで、ｎは光検出器の形状（受光面積）や、他層からの迷光のサイズによって最適な値が設定され、他層の迷光の影響を除去している。なお、図６において、信号Ｇ’−Ｈ’は、増幅器２３’ａによりｎ倍に増幅されている。
【００９５】
また、上記式（６）及び（７）におけるｍ、ｎはそれぞれ、ＳＢ１、ＳＢ２に対応して、異なる係数を設定できるようになっている。しかしながら、この構成に限定されず、信号回路において、同じ係数をとる構成になっていてもよい。
【００９６】
また、ＳＰＰ１およびＳＰＰ２を加算器２４により演算することにより、加算信号ＳＰＰ（＝ＳＰＰ１＋ＳＰＰ２）が得られ、さらに前述のＭＰＰから、増幅器２５によってＳＰＰを増幅した信号を減算器２６で減じることによりＤＰＰ信号が得られる。ＤＰＰ信号は、次の式（８）によって与えられる。
ＤＰＰ＝ＭＰＰ−ｋ（ＳＰＰ１＋ＳＰＰ２）…（８）
図７は、本実施形態における信号出力を示す図である。
【００９７】
領域５０’は、第２記録層１０ｂの未記録部で反射した迷光が光検出器９ａの受光部で受光される場合における信号出力を示す。また、領域５１’は、記録部を未記録部の境界付近に照射された場合における信号出力を示す。領域５１では、受光素子Ｅと受光素子Ｆ’とに（第２記録層１０ｂの）記録部からの反射光（迷光）が入射する一方、受光素子Ｆと受光素子Ｅ’とに（第２記録層１０ｂの）未記録部からの反射光が入射するようになっている。また、領域５２’は、（第２記録層１０ｂの）記録部からの反射光がすべての受光素子（受光素子Ａ〜Ｈ’）に入射した場合における信号出力を示す。
【００９８】
図７（ａ）において、領域５０’では、受光素子Ｅ，Ｅ’，Ｆ，及びＦ’のいずれの受光素子にも、未記録部からの反射光のみが入射しているため、光量に差は見られない。また、領域５２’においても、受光素子Ｅ，Ｅ’，Ｆ，及びＦ’のいずれも、記録部からの反射光のみが入射しているため、光量に差は見られない。
【００９９】
一方、領域５０’と領域５２’との境界である領域５１’では、未記録部と記録部との境界が受光素子上を横断する際に、出力信号ＳＥと出力信号ＳＦとにおける光量変化に時間差が生じていることが分かる。具体的には、領域５０’から領域５１’へ向かう時（迷光照射領域２０ａと迷光照射領域２０ｂとの境界が受光素子Ｅ，Ｅ’，Ｆ，Ｆ’の何れかの受光素子上に位置したとき）には、出力信号ＳＥ及び出力信号ＳＦ’に光量変化が生じている。また、領域５１’から領域５２’へ向かう時（迷光照射領域２０ａと迷光照射領域２０ｂとの境界が受光素子Ｆ，Ｆ’よりもさらに右側に位置したとき）には、出力信号ＳＥ’及び出力信号ＳＦに光量変化が生じている。
【０１００】
また、図７（ｂ）は、図７（ａ）に示された出力信号の演算結果を示している。この図に示されるように、Ｅ−ＦとＥ’−Ｆ’に時間差は発生していない。その結果、それぞれの差信号であるＳＰＰ１は、オフセットの無い良好な信号を検出することができる。
【０１０１】
これは、他方のサブビームを検出する受光素子Ｇ，Ｈ、Ｇ’、Ｈ’においても同様であるため、ＳＰＰ２もオフセットの無い良好な信号を検出することになる。
【０１０２】
このように記録領域と未記録領域との境界を横断する際、ＳＰＰ１とＳＰＰ２にオフセットが発生しないことから、結果として、図７（ｅ）に示すようにＤＰＰ信号にもオフセットが発生せず、安定なトラッキング制御を行うことが可能となる。
【０１０３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０４】
本発明の光ピックアップは、以上のように、複数の記録層を有する光記録媒体の記録再生対象とする記録層以外の他層に情報が記録されている記録部と情報が記録されていない未記録部が存在する場合においても、トラッキング誤差信号であるＤＰＰ信号にオフセット変化が発生せず、安定したトラッキングサーボを行うことが可能になる。それゆえ、本発明は、記録再生装置に適用することができる。
【図面の簡単な説明】
【０１０５】
【図１】本発明の一実施形態における光ピックアップ装置の概略説明図である。
【図２】本発明の一実施形態における光検出器を説明する図である。
【図３】本発明の一実施形態における信号回路を説明する図である。
【図４】本発明の一実施形態における光検出器での受光状態を説明する図である。
【図５】本発明の一実施形態におけるトラッキング誤差信号を説明する図である。
【図６】本発明の第２の実施形態における光検出器と信号回路を説明する図である。
【図７】本発明の第２の実施形態におけるトラッキング誤差信号を説明する図である。
【図８】光記録媒体上での光ビームの集光状態を示す図である。
【図９】８分割光検出器とＤＰＰ信号回路を示す図である。
【図１０】光記録媒体の断面図である。
【図１１】従来例の光ピックアップ装置の光検出器と信号回路を示す図である。
【図１２】２層の記録媒体における迷光の発生について説明図である。
【図１３】従来例の光ピックアップ装置の光検出器での受光状態を説明する図である。
【図１４】従来の光ピックアップ装置におけるトラッキング誤差信号を説明する図である。
【符号の説明】
【０１０６】
１    光ピックアップ装置
２    半導体レーザ（光源）
４    回折格子（回折素子）
７    対物レンズ（集光手段）
９    光検出器（光検出手段）
９ａ    第１受光部
９ｂ    第２受光部
９ｃ    第３受光部（第２受光部）
９ｄ    第４受光部（補助受光部）
９ｅ    第５受光部（補助受光部）
１０    光記録媒体
１０ａ  第１記録層
１０ｂ  第２記録層
１１、１３、１４、１５、１６    分割線
Ａ〜Ｈ  受光素子
Ｅ’〜Ｈ’  受光素子
【図１】
2008027559.tif 000003
【図２】
2008027559.tif 000004
【図３】
2008027559.tif 000005
【図４】
2008027559.tif 000006
【図５】
2008027559.tif 000007
【図６】
2008027559.tif 000008
【図７】
2008027559.tif 000009
【図８】
2008027559.tif 000010
【図９】
2008027559.tif 000011
【図１０】
2008027559.tif 000012
【図１１】
2008027559.tif 000013
【図１２】
2008027559.tif 000014
【図１３】
2008027559.tif 000015
【図１４】
2008027559.tif 000016